(57)【要約】【課題】ネット上方の雪庇が崩落しても、コネクタを設けたヒーターコードの端部が引きちぎられたり、コネクタから抜け出したりする恐れが殆どない融雪ネットを提供する。【解決手段】複数本のヒーターコード１と複数本の合成樹脂コード２を直交させてネット状に配置し交点を接合すると共に、ヒーターコードの両端にコネクタ３を設けてジャンパーコード４でコネクタ同士を接続した融雪ネットＮであって、コネクタ３が、ヒーターコードの端部１ａと、その両側のジャンパーコードの端部４ａと、これらのコードの端部に接続固定されたレセクタブル５と、各レセクタブルを導通させるショートバー６とを、硬質合成樹脂よりなるコネクタ躯体３１中に埋め込んで一体化したものであり、ジャンパーコード４がネットの内側に凸湾曲して配置された構成とする。【選択図】図２
2007294309.tif 000002
【特許請求の範囲】
【請求項１】
発熱抵抗線を可撓性のある合成樹脂で被覆した複数本のヒーターコードと、可撓性のある複数本の合成樹脂コードを直交させてネット状に配置し、ヒーターコードと合成樹脂コードの交点を接合すると共に、各ヒーターコードの両端にコネクタを設けて、隣り合うコネクタ同士を通電用のジャンパーコードで接続した融雪ネットにおいて、
上記コネクタが、ヒーターコードの端部と、その両側のジャンパーコードの端部と、これらのコードの端部に接続固定されたレセクタブルと、各レセクタブルを導通させるショートバーとを、硬質合成樹脂よりなるコネクタ躯体中に埋め込んで一体化したものであることを特徴とする融雪ネット。
【請求項２】
ジャンパーコードが融雪ネットの内側に向かって凸湾曲している請求項１に記載の融雪ネット。
【請求項３】
各コネクタが、連結部材によって相互に連結されている請求項１又は請求項２に記載の融雪ネット。
【請求項４】
連結部材が、コネクタ躯体に貫通固定されたワイヤーである請求項３に記載の融雪ネット。
【請求項５】
ワイヤーの少なくとも一端部にループ部が形成されている請求項４に記載の融雪ネット。
【請求項６】
コネクタ躯体が、偏平な直方体もしくは偏平な直方体に類似の形状を有している請求項１ないし請求項５に記載の融雪ネット。
【発明の詳細な説明】
【技術分野】
【０００１】
本発明は、家屋軒先の屋根などに取付けて雪を融かす融雪ネットに関する。
【背景技術】
【０００２】
この種の融雪ネットとして、図４に示すようなネット状発熱体が知られている（特許文献１）。このネット状発熱体は、ヒーター芯線を熱融着性プラスチックで被覆した複数本のヒーターコード１０１と、熱融着性プラスチックで形成した複数本の補強コード１０２を直交させてネット状に配置し、ヒーターコード１０１と補強コード１０２の接触部を熱融着すると共に、各ヒーターコードの両端にコネクタ１０３を取付けて、隣り合うコネクタ１０３，１０３同士をジャンパーコード１０４で接続したものである。このようなネット状発熱体からなる融雪ネット１００は既に実施化されており、雪国の家屋軒先の屋根などに取付けられて良好な融雪効果を発揮している。
【特許文献１】特開２００４−３１１０７号公報
【発明の開示】
【発明が解決しようとする課題】
【０００３】
しかしながら、上記のネット状発熱体からなる融雪ネット１００には、以下のような改良すべき問題点が残されていた。即ち、この融雪ネット１００を図６に示すように家屋軒先の屋根に取付けて通電すると、ヒーターコード１０１のヒーター芯線が発熱して雪を融かすため、融雪ネットＮの上に雪が直接積もることはなくなるけれども、融雪ネット１００の後端部分や側端部分に雪庇Ｓ１，Ｓ２が形成され、これらの雪庇Ｓ１，Ｓ２が大きく成長すると崩落するようになる。また、この融雪ネット１００のヒーターコード１０１の端部に取付けられるコネクタ１０３は、図５に示すような二股のコネクタであるため、ジャンパーコード１０４が融雪ネット１００の外側に向かって凸湾曲した状態となり、ジャンパーコード１０４がヒーターコード１０１から遠ざかるので、ジャンパーコード１０４に結氷が付着するようになる。
【０００４】
上記のように融雪ネット１００の後端部分の雪庇Ｓ１が崩落すると、ヒーターコード１０１を軒先側へ押し流そうとするため、ヒーターコード１０１の両端には、融雪ネット１００の内側方向に引張る力（コネクタ１０３から引き離そうとする力）が作用することになる。また、融雪ネット１００の側端部分の雪庇Ｓ２がその近辺の積雪と一緒に崩落すると、コネクタ１０３やジャンパーコード１０４を軒先側へ押し流そうとするため、コネクタ１０３にはヒーターコード１０１の端部から引き離そうとする力が作用することになる。その場合、ジャンパーコード１０４が外側に凸湾曲して結氷が付着していると、ジャンパーコード１０４を押し流そうとする力が大きくなるため、コネクタ１０３をヒーターコード１０４から引き離そうとする力も大きくなり、この大きい力がコネクタ１０３に作用することになる。
【０００５】
このように、従来の融雪ネット１００は、雪庇Ｓ１，Ｓ２の崩落によって、ヒーターコード１０１とコネクタ１０３を互いに引き離そうとする大きい力が作用するため、コネクタ１０３を取付けたヒーターコード１０１の端部が引きちぎられたり、コネクタ１０３から抜け出したりして断線する恐れが多分にあった。特に、従来の融雪ネット１００は、ヒーターコード１０１の端部とコネクタ１０３を熱融着その他の方法で一体的に接合したものではないため、ヒーターコード１０１の端部がコネクタ１０３から抜け出しやすいという問題があった。
【０００６】
本発明は上記事情の下になされたもので、雪庇が崩落しても、ヒーターコードとコネクタを引き離そうとする大きい力が作用しないため、コネクタを設けたヒーターコードの端部が引きちぎられたり、コネクタから抜け出したりする恐れが殆どなく、たとえ、ヒーターコードとコネクタを引き離そうとする大きい力が作用した場合でも、そのような恐れが少ない融雪ネットを提供することを解決課題としている。
【課題を解決するための手段】
【０００７】
上記の課題を解決するため、本発明に係る融雪ネットは、発熱抵抗線を可撓性のある合成樹脂で被覆した複数本のヒーターコードと、可撓性のある複数本の合成樹脂コードを直交させてネット状に配置し、ヒーターコードと合成樹脂コードの交点を接合すると共に、各ヒーターコードの両端にコネクタを設けて、隣り合うコネクタ同士を通電用のジャンパーコードで接続した融雪ネットにおいて、上記コネクタが、ヒーターコードの端部と、その両側のジャンパーコードの端部と、これらのコードの端部に接続固定されたレセクタブルと、各レセクタブルを導通させるショートバーとを、硬質合成樹脂よりなるコネクタ躯体中に埋め込んで一体化したものであることを特徴としている。
【０００８】
本発明の融雪ネットにあっては、ジャンパーコードが融雪ネットの内側に向かって凸湾曲していることが好ましい。そして、各コネクタが連結部材によって相互に連結されていること、その連結部材がコネクタ躯体に貫通固定されたワイヤーであること、そのワイヤーの少なくとも一端部にループ部が形成されていることが好ましい。また、コネクタ躯体が、偏平な直方体もしくは偏平な直方体に類似の形状を有することも好ましい。
【発明の効果】
【０００９】
本発明の融雪ネットを、例えば家屋軒先の屋根に取付けて通電すると、ヒーターコードの発熱抵抗線が発熱し、この熱によって良好な融雪作用が発揮される。そして、融雪ネットの後端部分や側端部分の雪庇が崩落して、ヒーターコードとコネクタを引き離そうとする力が作用しても、本発明の融雪ネットにおけるコネクタは、ヒーターコードの端部と、その両側のジャンパーコードの端部と、これらのコードの端部に接続固定されたレセクタブルと、各レセクタブルを導通させるショートバーとを、例えばインサート成形などの手段によって硬質合成樹脂よりなるコネクタ躯体中に埋め込んで一体化したものであり、コネクタ躯体に埋め込まれたヒーターコードの端部が強固に接合一体化されているため、よほど大きい力が作用しない限り、ヒーターコードの端部がコネクタ躯体から抜け出したり、引きちぎられたりすることはない。
【００１０】
特に、ジャンパーコードがネットの内側に向かって凸湾曲している融雪ネットは、ジャンパーコードがヒーターコードに接近した配置となるためジャンパーコードに結氷が付着しなくなり、しかも、ネットの外側に向かってジャンパーコードが凸湾曲している場合のように雪庇崩落時の抵抗が大きくないので、融雪ネットの側端部分の雪庇やその近辺の積雪が崩落しても、ジャンパーコードやコネクタには、軒先側に向かって押し流そうとするそれほど大きい力が作用しない。従って、コネクタに作用するヒーターコードから引き離そうとする力はそれぼど大きくないので、ヒーターコードの端部が引きちぎられたり、コネクタ躯体から抜け出したりする恐れは殆どなくなる。
【００１１】
更に、各コネクタが連結部材で相互に連結されている融雪ネットは、雪庇崩落時にコネクタやジャンパーコートを軒先側へ押し流そうとする大きい力が発生しても、その大きい力が連結部材で連結された各コネクタに分散して作用することになり、従って、それぞれのコネクタをヒーターコードから引き離そうとする力は小さくなるので、ヒーターコードの端部が引きちぎられたりコネクタ躯体から抜け出したりする恐れは皆無に等しくなる。特に、連結部材がコネクタ躯体に貫通固定されたワイヤーである場合は、ワイヤーの表面が素線の捩りによって凸凹しているため、各コネクタをワイヤーに沿って移動しないように確実に連結固定することができ、また、このワイヤーの少なくとも一端部にループ部が形成されているものは、ループを利用して、融雪ネットをずれ落ちないように軒先の屋根に簡単に取付けることができる。
【００１２】
また、コネクタ躯体が偏平な直方体もしくは偏平な直方体に類似の形状を有するものであると、従来の二股のコネクタに比べて雪庇崩落時の抵抗が小さくなるため、上記の効果が更に顕著になる。
【発明を実施するための最良の形態】
【００１３】
以下、図面を参照して、本発明の実施形態を詳述する。
【００１４】
図１は本発明の一実施形態に係る融雪ネットの平面図、図２は同融雪ネットの拡大部分平面図、図３は同融雪ネットの拡大部分断面図である。
【００１５】
この融雪ネットＮは、複数本のヒーターコード１と複数本の合成樹脂コード２を直交させてネット状に配置し、ヒーターコード１と合成樹脂コード２の交点を熱融着等の手段で接合一体化したものであって、各ヒーターコード１の両端にはコネクタ３が設けられており、隣り合うコネクタ３，３同士は通電用のジャンパーコード４で接続されている。そして、この融雪ネットＮの下端両側のコネクタ３，３には、リードコード８，８が接続されている。
【００１６】
上記のヒーターコード１は、図２に示すように、ステンレス線、炭素繊維、鋼合金線、ニクロム線などの発熱抵抗線１１を、ポリウレタン、ポリ塩化ビニルなどの可撓性のある合成樹脂１２で被覆したものあって、特に、発熱抵抗線１１にポリアミド繊維などの補強繊維を撚り合わせて引張り強度を高めたものが好ましく使用される。このヒーターコード１の発熱抵抗線１１の端部にはレセクタブル５が接続固定されている。
【００１７】
また、上記の合成樹脂コード２は、ヒーターコード１の被覆用の合成樹脂１２と同様の可撓性のある合成樹脂２２からなるコードであって、特に、図２に一部破断して示すように、アラミド繊維、ポリアミド繊維、ナイロン繊維、ガラス繊維などを撚り合わせた補強用芯線２１を上記の合成樹脂２２で被覆した引張り強度の大きいものが好ましく使用される。
【００１８】
また、上記のジャンパーコード４は、図２に一部破断して示すように、銅線、ステイレス線などの導線４１を、上記ヒーターコード１の被覆用の合成樹脂１２と同様の可撓性のある合成樹脂４２で被覆したものであって、このジャンパーコード４の導線４１の端部にもレセクタブル５が接続固定されている。
【００１９】
ヒーターコード１の両端に設けられるコネクタ３は、図２に示すように、ヒーターコード１の端部１ａと、その両側のジャンパーコード４，４の端部４ａ，４ａと、これらのコードの端部１ａ，４ａ，４ａ（発熱抵抗線と導線の端部）に接続固定されたレセクタブル５，５，５と、これらのレセクタブルを導通させるショートバー６とを、例えばインサート成形等の手段により、硬質合成樹脂よりなるコネクタ躯体３１中に埋め込んで一体化したものであって、ヒーターコード１の端部１ａもジャンパーコード４，４の端部４ａ，４ａも、コネクタ躯体３１のネット側の側面３１ａから互いに平行に埋入された状態となっている。そのため、ジャンパーコード４，４は融雪ネットＮの内側に凸湾曲して、ヒーターコード１とヒーターコード１の間に配線されている。
【００２０】
コネクタ躯体３１を形成する硬質合成樹脂としては、例えば、ポリウレタン、ポリ塩化ビニル、ＡＡＳ樹脂などが使用され、特に、ヒーターコード１の被覆樹脂１２と同材質のものが、融着接合強度を高める観点から好ましく使用される。このコネクタ躯体３１の形状は特に限定されないが、雪庇崩落時の抵抗が小さい偏平な直方体もしくは偏平な直方体に類似の形状とすることが好ましい。この実施形態では、図２、図３に示すように、偏平な直方体形状のコネクタ躯体３１のネット側の側面３１ａと反対側の側面に厚みの小さい凸部３１ｂを設けて、偏平な直方体に類似の形状となし、この凸部３１ｂの付根部分に連結部材としてワイヤー７を貫通固定している。
【００２１】
このワイヤー７は、図１に示すように、融雪ネットＮの両側において、それぞれのコネクタ３のコネクタ躯体３１を連結することにより、雪庇崩落時にコネクタ３を軒先側へ押し流そうとする力を分散させるものであって、引張り強度が大きくて錆びが発生し難いステンレスワイヤーなどが好適に使用される。このようなワイヤー７を連結部材としてコネクタ躯体３１に貫通固定すると、ワイヤーの表面が素線の捩りによって凸凹しているため、各コネクタをワイヤーに沿って移動しないように確実に連結固定できる利点がある。特に、ワイヤーの一端又は両端にループ部７ａを設けたワイヤー７は、該ループ部７ａを利用して融雪ネットＮをずれ落ちないように、軒先の屋根に簡単に取付けることができるので好ましい。尚、連結部材として、ワイヤー以外の帯状の金属製連結板などを使用しても勿論良い。
【００２２】
以上のような構成の融雪ネットＮを、図６に示す従来の融雪ネット１００と同様に、ヒートコード１が横向きとなるように家屋軒先の屋根に取付けて、リードコード８及びジャンパーコード４を通じて通電すると、各ヒーターコード１の発熱抵抗線１１が発熱して融雪ネットＮの上の雪を融かすため、融雪ネットＮの上に雪が積もることはなくなるが、融雪ネットＮの後端部分や側端部分には雪庇Ｓ１，Ｓ２が形成され、これらの雪庇が大きく成長すると崩落するようになる。このように雪庇Ｓ１，Ｓ２が崩落すると、従来の融雪ネット１００の場合と同様、コネクタ３とヒーターコード１の端部を引き離そうとする力が作用するが、この融雪ネットＮは、ジャンパーコード４がネットの内側へ凸湾曲してヒーターコード１とヒーターコード１の間に位置しているため、ヒーターコード１の熱でジャンパーコード４に結氷が付着せず、雪庇崩落時のジャンパーコード４の抵抗が小さいものであり、また、コネクタ躯体３１の形状も雪庇崩落時の抵抗が少ない偏平な直方体に類似する形状であるから、雪庇崩落時にコネクタ３とヒーターコード１の端部を引き離そうとする力がそれほど大きく作用することはなく、従って雪庇崩落時にヒーターコード１の端部１ａが引きちぎられたり、コネクタ躯体３１から抜け出したりする恐れは殆どなくなる。そして、たとえコネクタ３とヒーターコード１の端部を引き離そうとする大きい力が作用した場合でも、この融雪ネットＮは、ヒーターコード１の端部１ａがコネクタ躯体３１に埋め込まれて強固に接合されており、しかも、引き離そうとする大きい力はワイヤ７で連結された各コネクタ３に分散して作用することになるため、やはりヒーターコード１の端部１ａが引きちぎられたり、コネクタ躯体３１から抜け出したりする恐れは少ない。
【図面の簡単な説明】
【００２３】
【図１】本発明の一実施形態に係る融雪ネットの平面図である。
【図２】同融雪ネットの拡大部分平面図である。
【図３】同融雪ネットの拡大部分断面図である。
【図４】従来の融雪ネットの平面図である。
【図５】従来の融雪ネットの拡大部分平面図である。
【図６】従来の融雪ネットの一使用例についての説明図である。
【符号の説明】
【００２４】
１    ヒーターコード
１ａ  ヒーターコードの端部
１１  発熱抵抗線
１２，２２，４２  可撓性を有する合成樹脂
２    合成樹脂コード
２１  補強用芯線
３    コネクタ
３１  コネクタ躯体
４    ジャンパーコード
４ａ  ジャンパーコードの端部
４１  導線
５    レセクタブル、
６    ショートバー
７    ワイヤー（連結部材）
７ａ  ループ部
Ｎ    融雪ネット
【図１】
2007294309.tif 000003
【図２】
2007294309.tif 000004
【図３】
2007294309.tif 000005
【図４】
2007294309.tif 000006
【図５】
2007294309.tif 000007
【図６】
2007294309.tif 000008